(57)【要約】【課題】中継装置と基地局との間の通信回線が切断された場合に、保守用情報を管理装置に送ることができる通信システム、中継装置及び通信制御方法を提供する。【解決手段】本発明に係る通信システム１００は、複数の基地局ＢＳ−１及びＢＳ−２と、移動局ＭＳと、複数の基地局の一つと移動局ＭＳとの間の無線通信を中継する中継装置１０１と、中継装置１０１の状態を監視し、複数の基地局ＢＳ−１及びＢＳ−２に接続されている管理装置１０３とから構成される通信システム１００であって、中継装置１０１は、移動局ＭＳに中継装置１０１の状態を示す保守用情報を送信し、移動局ＭＳは、受信した保守用情報を複数の基地局の一つに送信する。【選択図】図１
2013141188.tif 000002
【特許請求の範囲】
【請求項１】
複数の基地局と、移動局と、前記複数の基地局の一つと移動局との間の無線通信を中継する中継装置と、前記中継装置の状態を監視し、前記複数の基地局に接続されている管理装置とから構成される通信システムであって、
前記中継装置は、前記移動局に当該中継装置の状態を示す保守用情報を送信し、
前記移動局は、受信した前記保守用情報を前記複数の基地局の一つに送信する
通信システム。
【請求項２】
請求項１に記載の通信システムにおいて、前記移動局は、前記複数の基地局の一つと通信が可能になるまで、前記保守用情報を記憶することを特徴とする通信システム。
【請求項３】
請求項１又は２に記載の通信システムに用いられる中継装置であって、
前記移動局と無線通信可能な移動局側通信部と、
前記中継装置と前記基地局との間の通信回線が切断されると、前記移動局に当該中継装置の状態を示す保守用情報を送信するように前記移動局側通信部を制御する中継装置制御部と
を備える中継装置。
【請求項４】
請求項３に記載の中継装置において、前記中継装置制御部は、保守用情報の送信用の通信回線を前記移動局と確立するための報知信号を、送信電力を徐々に引き上げて送信するように前記移動局側通信部を制御することを特徴とする中継装置。
【請求項５】
複数の基地局と、移動局と、前記複数の基地局の一つと移動局との間の無線通信を中継する中継装置と、前記中継装置の状態を監視し、前記複数の基地局に接続されている管理装置とから構成される通信システムにおける通信制御方法であって、
前記中継装置が、前記移動局に当該中継装置の状態を示す保守用情報を送信するステップと、
前記移動局が、受信した前記保守用情報を前記複数の基地局の一つに送信するステップと
を含む通信制御方法。
【発明の詳細な説明】
【技術分野】
【０００１】
本発明は、通信システム、中継装置及び通信制御方法に関するものである。
【背景技術】
【０００２】
移動局が基地局と通信するためには、移動局は基地局からの無線電波が届く範囲（サービスエリア）に位置する必要がある。しかし、山岳地帯や高層ビル等が建ち並ぶ市街地では、障害物が多いため無線電波が届きにくい領域が存在する。また、屋外に設置された基地局からは、電波が届かない領域（例えば、建物の内部や地下）が多く存在する。特に、ＩＥＥＥ標準規格802.16eを基に規格化されたＷｉＭＡＸ（Worldwide Interoperability for Microwave Access）（登録商標）等の高速無線通信方式では、２．５ＧＨｚ以上の高周波数帯の電波が使用されるが、このような電波は直進性が強く、障害物を回りこむ性質が弱い。そのため、ＷｉＭＡＸ等は障害物の影響を強く受ける。このような電波が届かない領域をカバーするため、基地局と移動局との間の無線信号を中継する中継装置（レピータ）が必要となる。
【０００３】
中継装置を介した安定した無線通信を実現するためには、中継装置が正常動作し続ける必要がある。機器の経年劣化等により中継装置の性能が低下した場合には、性能低下を迅速に検出し、中継装置を復旧する必要がある。そのため、中継装置は、現在の状態を表す保守用情報を、接続先の基地局を介して管理装置（例えば、ＥＭＳ（Element Management System：エレメント管理システム））に送信する。そして、管理装置は、保守用情報から中継装置の状態（正常性）を監視する。性能低下を示唆する点（転送遅延時間の増大や送信電力の低下など）が特定されると、管理装置は、当該装置の管理者に性能低下に関係がある箇所の点検や交換を指示することができる。
【０００４】
しかし、中継装置の著しい性能低下や故障により、中継装置と上位の基地局（上位装置）との間の通信回線が切断されてしまう場合には、中継装置は、保守用情報を基地局を介して管理装置に送信できなくなってしまう。この場合、管理装置は、ポーリングを行い、中継装置からの応答が返ってこないことにより、異常である中継装置を特定するしかない。この場合、管理装置が中継装置の異常原因の詳細について把握することはできないため、中継装置の復旧が遅れてしまう。
【０００５】
従来、中継装置が災害等で故障した場合にも、当該中継装置と上位装置（上位ＣＰＵ）との間の通信回線の維持が可能な中継装置が提案されている（例えば、特許文献１参照）。特許文献１に記載の中継装置は、複数の中継装置３０１及び４０１により構成され、中継装置３０１及び４０１は、それぞれが有する回線切換部３０３及び４０３を介して接続されている。回線切換部３０３は、回線インタフェース部３０５とＮＣＵ部３０７との間に配設され、回線切換部４０３は、回線インタフェース部４０５とＮＣＵ部４０７との間に配設されている。中継装置３０１が故障した場合は、回線切換部３０３を構成する回線切換回路３１１〜３１４と、回線切換部４０３を構成する回線切換回路４１１及び４１２とを手動で切り換えることにより、回線３１５−１及び３１５−２は、回線インタフェース部３０５を介してＮＣＵ部４０７に接続される。よって、回線インタフェース部３０５（中継装置が端末（移動局）と接続するための部分）が壊れていなければ、回線３１５−１及び３１５−２からの情報はＮＣＵ部４０７で処理され、上位ＣＰＵに送られる。中継装置３０１が故障しても、回線３１５−１及び３１５−２に接続されている端末は、中継装置４０１を介して上位ＣＰＵに接続される。
【先行技術文献】
【特許文献】
【０００６】
【特許文献１】特開平７−８７１８８号公報
【発明の概要】
【発明が解決しようとする課題】
【０００７】
しかし、従来の中継装置では、中継装置が故障した場合にも、中継装置を介した移動局と基地局との間の通信回線は維持されるが、中継装置の保守用情報が管理装置に送られることはない。そのため、管理装置は、依然として中継装置の異常原因の詳細について把握することはできない。よって、中継装置の故障箇所の迅速な復旧が困難となってしまう。
【０００８】
従って、上記のような問題点に鑑みてなされた本発明の目的は、中継装置と基地局との間の通信回線が切断された場合に、保守用情報を管理装置に送ることができる通信システム、中継装置及び通信制御方法を提供することにある。
【課題を解決するための手段】
【０００９】
上述した諸課題を解決すべく、第１の観点に係る通信システムの発明は、
複数の基地局と、移動局と、前記複数の基地局の一つと移動局との間の無線通信を中継する中継装置と、前記中継装置の状態を監視し、前記複数の基地局に接続されている管理装置とから構成される通信システムであって、
前記中継装置は、前記移動局に当該中継装置の状態を示す保守用情報を送信し、
前記移動局は、受信した前記保守用情報を前記複数の基地局の一つに送信する
通信システムである。
【００１０】
また、第２の観点に係る発明は、第１の観点に係る通信システムにおいて、前記移動局は、前記複数の基地局の一つと通信が可能になるまで、前記保守用情報を記憶することを特徴とするものである。
【００１１】
また、第３の観点に係る発明は、第１の観点又は第２の観点に係る通信システムに用いられる中継装置であって、
前記移動局と無線通信可能な移動局側通信部と、
前記中継装置と前記基地局との間の通信回線が切断されると、前記移動局に当該中継装置の状態を示す保守用情報を送信するように前記移動局側通信部を制御する中継装置制御部と
を備える中継装置である。
【００１２】
また、第４の観点に係る発明は、第３の観点に係る中継装置において、前記中継装置制御部は、保守用情報の送信用の通信回線を前記移動局と確立するための報知信号を、送信電力を徐々に引き上げて送信するように前記移動局側通信部を制御することを特徴とするものである。
【００１３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【００１４】
例えば、本発明を方法として実現させた第５の観点に係る通信制御方法は、
複数の基地局と、移動局と、前記複数の基地局の一つと移動局との間の無線通信を中継する中継装置と、前記中継装置の状態を監視し、前記複数の基地局に接続されている管理装置とから構成される通信システムにおける通信制御方法であって、
前記中継装置が、前記移動局に当該中継装置の状態を示す保守用情報を送信するステップと、
前記移動局が、受信した前記保守用情報を前記複数の基地局の一つに送信するステップと
を含む通信制御方法である。
【発明の効果】
【００１５】
上記のように構成された本発明に係る通信システム、中継装置及び通信制御方法によれば、中継装置と基地局との間の通信回線が切断された場合にも、保守用情報を、中継装置から移動局及び基地局を介して管理装置に送ることができる。
【図面の簡単な説明】
【００１６】
【図１】図１は、本発明の一実施形態に係る概略的な通信システム構成図である。
【図２】図２は、本発明の一実施形態に係る中継装置の概略構成を示す機能ブロック図である。
【図３】図３は、本発明の一実施形態に係る移動局の概略構成を示す機能ブロック図である。
【図４】図４は、本発明の一実施形態に係る通信システムで行われる処理を示すシーケンス図である。
【図５】図５は、本発明の一実施形態に係る中継装置の処理を示すフローチャートである。
【図６】図６は、従来の中継装置の概略構成を示す機能ブロック図である。
【発明を実施するための形態】
【００１７】
以下、本発明に係る一実施形態について、図面を参照して説明する。
【００１８】
図１は、本発明の一実施形態に係る概略的な通信システム構成図である。通信システム１００は、基地局ＢＳ（Base Station）（ＢＳ−１及びＢＳ−２）と、移動局ＭＳ（Mobile Station）と、中継装置１０１と、管理装置１０３とから構成されている。中継装置１０１は、複数の基地局の一つである基地局ＢＳ−１及び移動局ＭＳの双方と無線通信し、基地局ＢＳ−１と移動局ＭＳとの間で送受信される無線信号を中継する。中継装置１０１を介した無線通信には、例えばＷｉＭＡＸ等の無線通信方式が採用される。
【００１９】
管理装置１０３は、複数の基地局である基地局ＢＳ−１及びＢＳ−２に通信回線で接続されている。管理装置１０３は、中継装置１０１の状態を示す保守用情報を中継装置１０１から基地局ＢＳを介して受け取り、保守用情報に基づき中継装置１０１の状態を監視する。中継装置１０１の状態には、中継装置１０１自体の性能の状態や、中継装置１０１と基地局ＢＳ−１との間の通信の状態が含まれうる。保守用情報には、中継装置１０１の現在の処理性能（変復調処理時間、送信電力など）を示す情報や、故障又は機能停止した機器（例えば、電源、モジュールなど）の情報、中継装置１０１と基地局ＢＳとの間の通信の情報（符号誤り率、受信電力、スループット、意図しない切断（異常切断）の発生状況など）などが含まれうる。
【００２０】
中継装置１０１の状態の監視とは、中継装置１０１と基地局ＢＳ−１との間の通信において障害が発生していないかを判断し、障害が発生している場合は、障害の原因を特定することである。なお、障害とは、機器の故障やアプリケーションの問題などにより通信システム１００の正常動作を妨げる事象である。障害の発生は、例えば、中継装置１０１自体の処理性能の低下（変復調処理時間の遅延、所望の送信電力の実現不可）や、故障又は機能停止した機器の存在、中継装置１０１と基地局ＢＳとの間の通信性能の低下（符号誤り率の増加、スループットの低下、頻繁に生じる異常切断）などから判断される。
【００２１】
そして、管理装置１０３は、中継装置１０１と基地局ＢＳ−１との間の通信において障害が発生していると判断すると、障害復旧のために、中継装置１０１又は基地局ＢＳ−１に再起動を指示する信号を送信したり、管理装置１０３の管理者に障害と関係のある箇所の点検や交換を指示する旨を通知（例えば、ディスプレイに当該旨を表示）したりできる。
【００２２】
中継装置１０１は、基地局ＢＳ−１と通信を行うドナーノード（ＭＳ（Mobile Station）部）１１１と、移動局ＭＳと通信を行うサービスノード（ＢＳ（Base Station）部）１１３とを備えている。中継装置１０１は、一体型又は分離型である。一体型の中継装置１０１は、一つの筐体内にドナーノード１１１とサービスノード１１３とを備えるものである。分離型の中継装置１０１では、ドナーノード１１１とサービスノード１１３とをそれぞれ独立して配置することが可能である。一体型及び分離型のドナーノード１１１とサービスノード１１３とは、ＬＡＮ（Local Area Network）ケーブル等の信号ケーブルにより接続される。
【００２３】
図１において、領域１０５−１は、基地局ＢＳ−１のセル（通信可能エリア）を示している。また、領域１０５−２は、基地局ＢＳ−２のセルを示している。また、領域１０７は、サービスノード１１３のセルを示している。ドナーノード１１１が基地局ＢＳ−１のセル１０５−１に位置しているので、移動局ＭＳは、サービスノード１１３のセル１０７に位置すれば、中継装置１０１を介して基地局ＢＳ−１と無線信号を送受信できる。図１の領域Ａは、セル１０５−１と、セル１０５−２と、セル１０７とが重なっている領域であるので、基地局ＢＳ−１、基地局ＢＳ−２及びサービスノード１１３との通信が可能な領域である。
【００２４】
図２は、本発明の一実施形態に係る中継装置の概略構成を示す機能ブロック図である。
【００２５】
まず、ドナーノード１１１の機能ブロックについて説明する。ドナーノード１１１は、基地局側通信部１１７を備えている。基地局側通信部１１７は、後述する中継装置制御部１２５に接続されている。
【００２６】
基地局側通信部１１７は、アンテナを介して基地局ＢＳ−１と無線信号を送受信する。基地局側通信部１１７は、受信した無線信号に対して低雑音での増幅及びダウンコンバート等を行うことによりベースバンド信号を生成し、中継装置制御部１２５に送る。また、基地局側通信部１１７は、ベースバンド信号に対してアップコンバート及び増幅等を行うことにより、無線信号を生成し、アンテナを介して当該無線信号を基地局ＢＳ−１に送信する。
【００２７】
続いて、サービスノード１１３の機能ブロックについて説明する。サービスノード１１３は、移動局側通信部１２３と中継装置制御部１２５とを備えている。移動局側通信部１２３は、中継装置制御部１２５に接続されている。
【００２８】
移動局側通信部１２３は、アンテナを介して移動局ＭＳと無線信号を送受信する。移動局側通信部１２３は、受信した無線信号に対して低雑音での増幅及びダウンコンバート等を行うことによりベースバンド信号を生成し、中継装置制御部１２５に送る。また、移動局側通信部１２３は、ベースバンド信号に対してアップコンバート及び増幅等を行うことにより、無線信号を生成し、アンテナを介して当該無線信号を移動局ＭＳに送信する。
【００２９】
中継装置制御部１２５は、ドナーノード１１１及びサービスノード１１３の各機能ブロックをはじめとしてドナーノード１１１及びサービスノード１１３の全体を制御及び管理する。ここで、中継装置制御部１２５は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。なお、本実施形態では、ドナーノード１１１のみが、中継装置制御部１２５を有するが、本発明は、この構成に限定されるわけではない。例えば、サービスノード１１３のみが中継装置制御部を有し、当該中継装置制御部が、ドナーノード１１１及びサービスノード１１３の全体を制御及び管理することができる。また、ドナーノード１１１及びサービスノード１１３の双方が中継装置制御部を有し、各々の中継装置制御部が関連する各々のユニットを制御及び管理することもできる。
【００３０】
中継装置制御部１２５についてより詳細に説明する。中継装置制御部１２５は、定期的又は不定期的に中継装置１０１の状態を示す保守用情報を生成し、当該保守用情報を基地局ＢＳ−１に送信するように基地局側通信部１１７を制御する。基地局ＢＳ−１は、中継装置１０１の保守用情報を受信し、管理装置１０３に転送することになる。
【００３１】
中継装置１０１のドナーノード１１１又は基地局ＢＳ−１で故障が発生したことなどにより、中継装置１０１（ドナーノード１１１）と基地局ＢＳ−１との間の通信回線が切断されてしまった場合は、中継装置制御部１２５は、中継装置１０１の運用（サービス）を停止して、中継装置１０１（サービスノード１１３）と移動局ＭＳとの間のユーザデータ用の通信回線（通常回線）を切断する。そして、中継装置制御部１２５は、移動局ＭＳと保守用の通信回線（保守用回線）を確立する。保守用回線は、サービスノード１１３による保守用情報の送信用に割り当てられた制御チャネルを用いて確立されうるものである。保守用回線確立後、中継装置制御部１２５は、保守用情報を移動局ＭＳに送信するように移動局側通信部１２３を制御する。なお、本発明は、中継装置１０１が保守用情報を保守用回線で移動局ＭＳに送信することに限定されるものではなく、例えば、中継装置１０１は、通常回線を切断せずに、通常回線で保守用情報を送信することもできる。中継装置制御部１２５が行うその他の処理については、後述の図４の説明にて詳述する。
【００３２】
図３は、本発明の一実施形態に係る移動局の概略構成を示す機能ブロック図である。移動局ＭＳは、通信部１３１と、記憶部１３３と、制御部１３５とを備えている。通信部１３１及び記憶部１３３は、制御部１３５に接続されている。
【００３３】
通信部１３１は、アンテナを介して中継装置１０１のサービスノード１１３又は直接基地局ＢＳと無線信号を送受信する。通信部１３１は、受信した無線信号に対して低雑音での増幅及びダウンコンバート等を行うことによりベースバンド信号を生成し、制御部１３５に送る。また、通信部１３１は、ベースバンド信号に対してアップコンバート及び増幅等を行うことにより、無線信号を生成し、アンテナを介して当該無線信号をサービスノード１１３又は基地局ＢＳに送信する。
【００３４】
記憶部１３３は、中継装置１０１から受信した保守用情報などの各種情報を記憶するものであり、ワークメモリなどとしても機能する。
【００３５】
制御部１３５は、移動局ＭＳの各機能ブロックをはじめとして移動局ＭＳの全体を制御及び管理する。ここで、制御部１３５は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることもできる。
【００３６】
制御部１３５についてより詳細に説明する。制御部１３５は、通信部１３１が保守用情報を受信すると、当該保守用情報を複数の基地局の一つに送信するように通信部１３１を制御する。保守用情報を受信した基地局は、当該保守用情報を管理装置１０３に転送することになる。なお、複数の基地局の一つに送信とは、移動局ＭＳが直接通信回線を確立できる基地局ＢＳへの送信のみならず、中継装置１０１以外の基地局ＢＳと通信回線を確立できる中継装置を介した基地局ＢＳへの送信も含まれる。
【００３７】
通信部１３１が保守用情報を受信したときに、移動局ＭＳと通信可能な基地局が存在しない場合は、制御部１３５は、保守用情報を記憶部１３３に記憶させることができる。そして、制御部１３５は、移動局ＭＳの移動や通信環境の変化により、移動局ＭＳと通信可能な基地局を検出できると、記憶部１３３に記憶されている保守用情報を送信するように通信部１３１を制御する。なお、本発明では、制御部１３５が通信部１３１に送信させる保守用情報は、ある一つの中継装置から受信した保守用情報に限定されるものではない。通信部１３１が複数の中継装置から保守用情報を受信した場合は、制御部１３５は、受信した複数の保守用情報を全て記憶部１３３に記憶させることができる。そして、制御部１３５は、複数の保守用情報をまとめて基地局ＢＳに送信するように通信部１３１を制御することができる。制御部１３５が行うその他の処理については、後述の図４の説明にて詳述する。
【００３８】
続いて、通信システム１００において保守用情報が管理装置１０３に送られてくる方法について、図１及び図４を参照して説明する。図４は、本発明の一実施形態に係る通信システムにおいて行われる処理を示すシーケンス図である。
【００３９】
まず、図１における中継装置１０１は、基地局ＢＳ−１及び移動局ＭＳと通信回線を確立し、基地局ＢＳ−１と移動局ＭＳとの間の無線通信を中継しているとする（図４の１）。このとき、中継装置制御部１２５は、保守用情報を定期的又は不定期的に基地局ＢＳ−１に送信するように基地局側通信部１１７を制御する（図４の２）。そして、基地局ＢＳ−１は、受信した保守用情報を管理装置１０３に転送する（図４の２）。なお、中継装置１０１と移動局ＭＳとの間の通信回線は確立されてなく、中継装置１０１と基地局ＢＳ−１との間の通信回線のみが確立されている場合に、中継装置制御部１２５は、保守用情報を基地局側通信部１１７に送信させることもできる。
【００４０】
ここで、ドナーノード１１１と基地局ＢＳ−１との間の通信回線が切断されたとする（図４の３）。中継装置１０１は、移動局ＭＳからの無線信号を基地局ＢＳ−１に中継できなくなるので、中継装置制御部１２５は、移動局ＭＳとの通信回線を切断することができる（図４の４）。そして、中継装置制御部１２５は、サービスノード１１３と移動局ＭＳとの間で保守用回線を確立するために、保守用の報知信号を送信するように移動局側通信部１２３を制御する。報知信号を受信した移動局ＭＳは、応答信号をサービスノード１１３に送信し、サービスノード１１３と移動局ＭＳとの間の保守用回線は確立される（図４の５）。
【００４１】
そして、中継装置制御部１２５は、保守用情報を移動局ＭＳに送信するように移動局側通信部１２３を制御する（図４の６）。なお、中継装置制御部１２５は、保守用情報を移動局側通信部１２３に送信させる前に、切断理由を判断することができる。中継装置制御部１２５は、切断理由が通信異常、装置故障及びネットワーク異常のいずれに該当するかを判断する。通信異常とは、ドナーノード１１１と基地局ＢＳ−１との間（基地局ＢＳ−１の故障も含む）に障害発生を原因とする回線切断である。装置故障とは、ドナーノード１１１の機器の故障による回線切断である。ネットワーク異常とは、基地局ＢＳ−１よりも上位の回線での障害発生（管理装置１０３の故障も含む）による回線切断である。そして、中継装置制御部１２５は、切断理由が通信異常又は装置故障に該当する場合、移動局側通信部１２３に保守用情報を送信させることができる。切断理由がネットワーク異常の場合、切断理由は中継装置１０１に関連する障害ではないため、保守用情報の送信によりトラフィックが高くなることを避けるため、中継装置制御部１２５は、保守用情報を移動局側通信部１２３に送信させないことができる。この場合、障害が解消された後、中継装置制御部１２５は、保守用情報を基地局ＢＳ−１に送信するように基地局側通信部１１７を制御することができる。
【００４２】
なお、保守用情報が確実に管理装置１０３に届くようにするために、中継装置制御部１２５は、移動局ＭＳ以外の移動局にも同一の保守用情報を送信するように移動局側通信部１２３を制御することができる。
【００４３】
また、中継装置制御部１２５は、保守用回線を確立するための報知信号が移動局ＭＳに届くまで、送信電力を徐々に引き上げて報知信号を送信するように移動局側通信部１２３を制御することができる。中継装置制御部１２５による送信電力の制御について図５を用いて説明する。なお、以下の説明において、サービスノード１１３のセル１０７には、複数の移動局が存在し、移動局ＭＳがサービスノード１１３から一番近くに位置しているとする。
【００４４】
報知信号の送信電力が大きいほど、報知信号は、サービスノード１１３から遠くまで届くことになり、報知信号を受信する移動局の数が多くなる。すると、サービスノード１１３が、報知信号を受信した移動局全てと保守用回線を確立し、保守用情報を送信すると、各移動局から基地局へ同一の保守用情報が複数送信され、基地局ＢＳにおいて輻輳が発生するおそれがある。
【００４５】
そこで、中継装置制御部１２５は、最大値よりも小さい送信電力で報知信号を送信するように移動局側通信部１２３を制御する（ステップＳ１０１）。移動局ＭＳの制御部１３５は、通信部１３１が報知信号を受信した場合、報知信号の受信完了を示す応答信号を送信するように通信部１３１を制御する。そのため、中継装置１０１の移動局側通信部１２３が所定の時間内に応答信号を受信できない場合は（ステップＳ１０２のＮｏ）、報知信号が移動局ＭＳに届かなかったことを意味する。そこで、中継装置制御部１２５は、報知信号を送信する際の送信電力を引き上げる（ステップＳ１０３）。そして、中継装置制御部１２５は、引き上げた送信電力で報知信号を送信するように移動局側通信部１２３を制御する。移動局側通信部１２３が、移動局ＭＳから応答信号を受信すると（ステップＳ１０２のＹｅｓ）、中継装置制御部１２５は、移動局ＭＳが報知信号を受信できたことを認識できる。そして、中継装置制御部１２５は、移動局ＭＳと保守用回線を確立する。このような、中継装置制御部１２５による送信電力の制御により、確立される保守用回線の数を最小限に抑えることができる。
【００４６】
移動局側通信部１２３が保守用回線で保守用情報を移動局ＭＳに送信すると（図４の６）、中継装置制御部１２５は、サービスノード１１３と移動局ＭＳとの間の保守用回線を切断する（図４の７）。
【００４７】
続いて、移動局ＭＳは、通信可能な基地局があるか否かを判断する。図１においては、移動局ＭＳはサービスノード１１３のセル１０７内にのみ位置しているので、移動局ＭＳと通信可能な基地局は存在しない。よって、移動局ＭＳの制御部１３５は、通信部１３１により受信された保守用情報を記憶部１３３に記憶させる（図４の８）。
【００４８】
ここで、移動局ＭＳが図１の領域Ａに移動したとする。領域Ａは、基地局ＢＳ−１のセル１０５−１内であるため、基地局ＢＳ−１が故障していなければ、移動局ＭＳは、基地局ＢＳ−１と通信回線を確立することができる。制御部１３５は、記憶部１３３に記憶されている保守用情報を基地局ＢＳ−１に送信するように通信部１３１を制御する（図４の９）。そして、基地局ＢＳ−１は、受信した保守用情報を管理装置１０３に送信する（図４の９）。
【００４９】
また、領域Ａは、基地局ＢＳ−２のセル１０５−２内でもあるため、電波状況が基地局ＢＳ−１よりも良好であったり、基地局ＢＳ−１が故障しているような場合、移動局ＭＳは、基地局ＢＳ−２と通信回線を確立することができる。制御部１３５は、記憶部１３３に記憶されている保守用情報を基地局ＢＳ−２に送信するように通信部１３１を制御する（図４の１０）。そして、基地局ＢＳ−２は、受信した保守用情報を管理装置１０３に送信する（図４の１１）。
【００５０】
このように本実施形態では、中継装置１０１の中継装置制御部１２５は、ドナーノード１１１と基地局ＢＳ−１との間の通信回線が切断されると、移動局ＭＳに保守用情報を送信するように移動局側通信部１２３を制御する。そして、保守用情報を受信した移動局ＭＳの制御部１３５は、移動局ＭＳと通信可能な基地局ＢＳ−１又はＢＳ−２に保守用情報を送信するように通信部１３１を制御する。基地局ＢＳ−１又はＢＳ−２は、管理装置１０３に接続されているため、保守用情報は、管理装置１０３に届くことになる。よって、本実施形態における通信システム１００においては、中継装置１０１が直接基地局ＢＳ−１保守用情報を送れない状況でも、移動局ＭＳと、基地局ＢＳ−１又はＢＳ−２とを介して、保守用情報を管理装置１０３に送ることが可能である。よって、管理装置１０３は、ドナーノード１１１と基地局ＢＳ−１との間の通信回線における障害を特定し、ドナーノード１１１の迅速な復旧が可能となる。特に、人口（移動局）が密集しているエリアに設置された中継装置１０１のドナーノード１１１が故障した場合などは、サービスノード１１３は、容易に移動局と保守用回線を確立できる。そのため、保守用情報は確実に管理装置１０３に届くことになる。
【００５１】
また、本実施形態では、移動局ＭＳの制御部１３５は、移動局ＭＳが基地局ＢＳ−１及びＢＳ−２のいずれかと通信が可能になるまで、保守用情報を記憶部１３３に記憶させることができる。これにより、通信部１３１が保守用情報を受信したときに、移動局ＭＳと通信できる基地局が存在しない場合にも、移動局ＭＳが基地局ＢＳと通信が可能になり次第、基地局ＢＳを介して確実に保守用情報を管理装置１０３に届けることができる。
【００５２】
また、本実施形態では、中継装置制御部１２５は、保守用回線を移動局ＭＳと確立するための報知信号を、送信電力を徐々に引き上げて送信するように移動局側通信部１２３を制御することができる。これにより、サービスノード１１３のセル１０７内に複数移動局が存在する場合、確立される保守用回線の数を最小限に抑えることができる。よって、同一の保守用情報が基地局ＢＳに集中することによる輻輳を防ぐことができる。
【００５３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００５４】
例えば、各部材、各手段、各ステップなどに含まれる機能などは論理的に矛盾しないように再配置可能であり、複数の手段やステップなどを１つに組み合わせたり、或いは分割したりすることが可能である。
【符号の説明】
【００５５】
１００  通信システム
１０１  中継装置
１０３  管理装置
１０５−１  基地局のセル
１０５−２  基地局のセル
１０７  サービスノードのセル
１１１  ドナーノード
１１３  サービスノード
１１７  基地局側通信部
１２３  移動局側通信部
１２５  中継装置制御部
１３１  通信部
１３３  記憶部
１３５  制御部
ＢＳ−１、ＢＳ−２    基地局
ＭＳ    移動局
Ａ      領域
【図１】
2013141188.tif 000003
【図２】
2013141188.tif 000004
【図３】
2013141188.tif 000005
【図４】
2013141188.tif 000006
【図５】
2013141188.tif 000007
【図６】
2013141188.tif 000008